(57)【要約】  【課題】  高さの異なる引掛ローゼットに対応でき、かつ、上下ケースをビスで結合しても、使用中にビスに触れて怪我をするおそれもない点灯制御装置及び照明器具を提供する。  【解決手段】  本点灯制御装置は、上面に一対の引掛刃１、１を設けた上ケース２と、この上ケース２と結合される下ケース３と、引掛刃１、１から電気接続された点灯制御回路基板４とを備え、上ケース２の外周に溝２０が形成され、上ケース２と下ケース３を結合するビス１９が溝２０の底面に通され、引掛ローゼット２２に接続固定される。本点灯制御装置に係止される照明器具本体２５の中央孔４５に臨む下面には中心方向に弾性付勢された係止部４６が装備され、照明器具本体２５を押し上げると係止部４６が後退してから上ケース２の上面または溝２０に係止される。【選択図】  図１０
2005209464.tif 000002
【特許請求の範囲】
【請求項１】
上面に一対の引掛刃を設けた上ケースと、この上ケースと結合される下ケースと、前記上ケースと下ケースにより囲まれた空間に収納され、前記引掛刃から電気接続された点灯制御回路基板とを備え、前記上ケースの外周に溝が形成され、前記上ケースと下ケースを結合するビスが前記溝の底面に通される点灯制御装置。
【請求項２】
請求項１記載の点灯制御装置がその引掛刃により天井面に設置された引掛ローゼットに接続固定され、前記点灯制御装置の外周縁には照明器具本体が着脱可能に係止されて構成される照明器具であって、前記照明器具本体の中央孔に臨む下面には中心方向に弾性付勢された係止部が装備され、前記照明器具本体を押し上げると前記係止部が後退してから前記点灯制御装置の前記上ケースの上面または前記溝に係止される照明器具。
【発明の詳細な説明】
【技術分野】
【０００１】
本発明は、ユニット化された点灯制御装置及びこれを用いる照明器具に関する。
【背景技術】
【０００２】
ユニット化されたリモコン受信器は特許文献１などで周知であり、特許文献１によれば、上面に一対の引掛刃を設けた上ケースと、この上ケースと結合される下ケースと、下ケースに内蔵され前記引掛刃から電気接続されたリモコン受信部からなる点灯制御回路基板を備え、このユニットの点灯制御回路基板により制御される照明灯を備えた照明器具が開示されている。また、このようなユニットのリモコン受信部からなる点灯制御回路基板の代わりに、蛍光灯用の点灯制御手段を備えてもよいことは、特許文献２などで周知である。
【特許文献１】特開２０００−３２２９２８号公報
【特許文献２】特公昭５６−３７６４２号公報
【発明の開示】
【発明が解決しようとする課題】
【０００３】
しかし、特許文献１のユニットでは、上ケースと下ケースの結合手段が不明である。また、特許文献２のユニットは、引掛ローゼットに接続するタイプではない。また、天井面に設置される引掛ローゼットには大別して、高さの異なる二種類のものが使用されている。本発明はこのような実情を鑑み、高さの異なる引掛ローゼットに対応でき、かつ、上下ケースをビスで結合しても、使用中にビスに触れて怪我をするおそれもない点灯制御装置及び照明器具を提供することを目的とする。
【課題を解決するための手段】
【０００４】
本発明は、上面に一対の引掛刃を設けた上ケースと、この上ケースと結合される下ケースと、前記上ケースと下ケースにより囲まれた空間に収納され、前記引掛刃から電気接続された点灯制御回路基板とを備え、前記上ケースの外周に溝が形成され、前記上ケースと下ケースを結合するビスが前記溝の底面に通される点灯制御装置であり、また、この点灯制御装置がその引掛刃により天井面に設置された引掛ローゼットに接続固定され、前記点灯制御装置の外周縁には照明器具本体が着脱可能に係止されて構成される照明器具であって、前記照明器具本体の中央孔に臨む下面には中心方向に弾性付勢された係止部が装備され、前記照明器具本体を押し上げると前記係止部が後退してから前記点灯制御装置の前記上ケースの上面または前記溝に係止される照明器具である。
【発明の効果】
【０００５】
本発明によれば、点灯制御装置を構成する上ケースと下ケースを結合するビスが上ケース外周の溝の底面に通されるため、ユーザーが前記ビスに指を引っ掛けて怪我をするおそれがなく、また、照明器具本体を前記点灯制御装置に対して押し上げるとその係止部が後退してから、前記点灯制御装置の上ケースの上面または溝に係止でき、高さの異なる引掛ローゼットに対応できる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、上面に一対の引掛刃１、１を設けた上ケース２と、この上ケース２と結合される下ケース３と、前記上ケース２と下ケース３により囲まれた空間に収納され、前記引掛刃１、１から電気接続された点灯制御回路基板４とを備え、前記上ケース２の外周に溝２０が形成され、前記上ケース２と下ケース３を結合するビス１９が前記溝２０の底面に通される点灯制御装置である。また、この点灯制御装置がその引掛刃１、１により天井面２１に設置された引掛ローゼット２２に接続固定され、前記点灯制御装置の外周縁には照明器具本体２５が着脱可能に係止されて構成される照明器具であって、前記照明器具本体２５の中央孔４５に臨む下面には中心方向に図示されないコイルバネなどで弾性付勢された係止部４６が装備され、前記照明器具本体２５を押し上げると前記係止部４６が後退してから前記点灯制御装置の前記上ケース２の上面または前記溝２０に係止される照明器具である。図１０では前記係止部４６が前記上ケース２の上面に係止されているが、引掛ローゼット２２の代わりに高さの低い丸型引掛ローゼットが設置されている場合は、前記点灯制御装置が図１０の位置より上寄りに位置するため、前記係止部４６は溝２０に係止される。このような構成によれば、点灯制御装置を構成する上ケース２と下ケース３を結合するビス１９が上ケース２外周の溝２０の底面に通されるため、ユーザーが前記ビス１９に指を引っ掛けて怪我をするおそれがなく、また、照明器具本体２５を前記点灯制御装置に対して押し上げるとその係止部４６が後退してから、前記点灯制御装置の上ケース２の上面または溝２０に係止でき、高さの異なる引掛ローゼットに対応できる。なお、点灯制御回路基板４としては、高周波点灯回路基板、リモコン受信回路基板のいずれでもよく、また、双方とも搭載されていてももちろんよい。図示の実施形態はまた、上面に導電性の一対の引掛刃１、１を設けた上ケース２と、この上ケース２と結合される下ケース３と、上ケース２と下ケース３により囲まれた空間に収納され、前記引掛刃１、１から電気接続された蛍光灯用の高周波点灯回路基板である点灯制御回路基板４とを備え、前記上ケース２は、上面に露出される第一絶縁板５と、第一絶縁板５の下面に配置される第二絶縁板６と、第一絶縁板５と第二絶縁板６の間に挟まれた金属板７とを有し、前記点灯制御回路基板４は第二絶縁板６の下面に配置されたユニット化されている蛍光灯用点灯制御装置である。これにより、上ケース２は第一絶縁板５−金属板７−第二絶縁板６というサンドイッチ構造を備えているため、強度が向上する。また、点灯制御回路基板４の上面には第二絶縁板６が配置されているため、金属板７があっても内部絶縁性能も向上する。
【０００８】
また、第一絶縁板５の下面に形成した複数のボス８を金属板７の上面に形成した複数の凹部９に各々位置決めしている。そうすると、金属板７を第一絶縁板５に位置決めできて組立作業が容易になる。また、凹部９の下面である突出部１０を第二絶縁板６の上面に形成した複数の第二凹部１１に各々位置決めしている。そうすると、第二絶縁板６を金属板７に位置決めできて組立作業が容易になる。また、第二凹部１１の下面である第二突出部１２を点灯制御回路基板４の複数の孔１３に各々位置決めしている。そうすると、点灯制御回路基板４を第二絶縁板６に位置決めできて組立作業が容易になる。また、引掛刃１、１に電気接続したコード１４を金属板７の上面に沿わせて点灯制御回路基板４の外周縁からこの点灯制御回路基板４に接続している。これにより、点灯制御回路基板４から発生する高周波がコード１４に飛び付いて引掛刃１、１から屋内配線側に帰還するノイズを抑制できる。また、第二絶縁板６に形成した窓孔１５に金属板７の下面に形成した凸部１６を挿入し、点灯制御回路基板４の上面に実装した薄型パワー半導体素子などの発熱部品１７の発熱を電気絶縁性の導熱クッション部材１８を介して前記凸部１６に伝導放熱している。これにより、狭小空間に収められた発熱部品１７の発熱を効果的に放熱できるため、パワー半導体素子などの発熱部品１７の温度上昇を抑制でき、その熱的破壊を防止できる。また、第一絶縁板５の外側面から通したビス１９を下ケース３の側面を通して第二絶縁板６に螺合固定している。そうすると、ビス１９により、金属板７を挟んだ状態で第一絶縁板５と第二絶縁板６の相互固定ができるとともに、上ケース２と下ケース３の相互固定もでき、組立作業を効率化できる。また、ビス１９は第一絶縁板５の外周に形成した溝２０の底面に通されている。これにより、ビス１９が溝２０内に収まり、ビス１９の頭部に指先などを引っ掛けてしまって傷を負うというおそれがない。なお、第二絶縁板６がない場合などを考慮すると、ビス１９を下ケース３の側面の孔に螺合固定するとよい。
【０００９】
そして、このようにユニット化された点灯制御装置はその引掛刃１、１を回転係止することにより天井面２１に設置された引掛ローゼット２２に接続固定され、前記点灯制御装置の外周縁には蛍光灯などのランプ２３を接続したソケット２４を備えた照明器具本体２５が着脱可能に係止され、前記ソケット２４には前記点灯制御装置の点灯出力がリード線２６を介して接続されて照明器具が構成される。
【００１０】
図示の実施形態はまた、上面に一対の引掛刃１、１を設けた上ケース２と、この上ケース２と結合される下ケース３と、上ケース２と下ケース３により囲まれた空間に収納され、前記引掛刃１、１から電気接続された蛍光灯用の高周波点灯回路基板である点灯制御回路基板４とを備え、前記点灯制御回路基板４の上面側は半田面(図の複雑化を避けるため半田は図示せず)を成し、コイルバネ２９などで弾性付勢されて上ケース２の上面に突出され天井面２１に設置された引掛ローゼット２２の円弧孔(下面から見て円弧孔状を成す)２７に挿入可能な回り止め部材２８を備え、この回り止め部材２８を直交変換により下方に押し下げる水平方向の絶縁性の解除部材２９が前記点灯回路基板４の上面(半田面)に通され、その操作端部が外側面に露出された点灯制御装置である。これにより、解除部材２９が点灯制御回路基板４の上面すなわち半田面側に通され、コンデンサ、コイル、半導体などの多数の部品３０は点灯制御回路基板４の下面側に実装されることになるため、点灯制御回路基板４に沿って解除部材２９を通すことができる。なお、半田面側にチップ部品のような微小部品を半田付け実装することは解除部材２９を通す妨げにはならない。また、解除部材２９が通る付近には半田面を配置しない方が好ましい。そして、解除部材２９は上ケース２の下面に配置される第二絶縁板６に形成した複数のガイド部３１、３２により水平方向にガイドされている。これにより、第二絶縁板６を利用した解除部材２９の安定なガイドが可能となる。また、解除部材２９の下面に沿って垂直方向の補強リブ３３を一体に形成することにより、点灯制御回路基板４の半田面への近接部分を極細化できる。
【００１１】
図示の実施形態はまた、上面に一対の引掛刃１、１を設けた上ケース２と、この上ケース２と結合される下ケース３と、上ケース２と下ケース３により囲まれた空間に収納され、前記引掛刃１、１から電気接続された蛍光灯用の高周波点灯回路基板である点灯制御回路基板４とを備え、前記点灯制御回路基板４の下面側に受け台３４を介してコネクター３５を設けて、このコネクター３５を下ケース３のコネクター用開口３６に臨ませ、前記コネクター３５には前記点灯制御回路基板４の点灯出力が供給されている点灯制御装置である。このように、点灯制御回路基板４の下面側に受け台３４を介してコネクター３５を設けたため、コネクター３５とともに点灯制御回路基板４を下ケース３内に収めることを容易にできる。また、受け台３４を下ケース３にビス３７ａなどで固定している。これにより、受け台３４が安定に支持され、コネクター３５がコネクター用開口３６に整合位置決めされる。また、下ケース３の下側部を下方に向けて外径のすぼまるテーパ面３７に形成し、これに対応して受け台３４の下部外側を前記テーパ面３７にガイドされるガイドテーパ面３８としている。これにより、下ケース３を上ケース２に組み付ける際の下ケース３のガイド性が向上して組み付けが容易にできる。
【００１２】
さらに詳述すれば、引掛刃１、１を保持した絶縁性の台座４０は第一絶縁板５の中央に埋め込まれ、台座４０はビス４１により金属板７に螺合固定される。ガイド部３１の底面からコイルバネ２９を介して弾性付勢された回り止め部材２８は、第二絶縁板６、金属板７、台座４０に各々通されて上ケース２の上面に少し突出される。そして、本点灯制御装置を引掛ローゼット２２に取り付ける場合は、手で下ケース３を保持して、引掛刃１、１を引掛ローゼット２２の円弧孔２７、２７に挿入して下から見て時計回りに回転する。この回転は引掛刃１、１と円弧孔２７、２７の終端との当接でストップされ、この際に前記突出部分が円弧孔２７の端部に滑り込み係止されることにより、本点灯制御装置の引掛ローゼット２２からの脱落が防止される。本点灯制御装置を引掛ローゼット２２から外す際は、解除部材２９の先端を指で押し込むと、解除部材２９の内端の斜め部分４２が回り止め部材２８の基部の斜め部分４３を直交変換により下向きに押し下げるため、回り止め部材２８と円弧孔２７の係止は解除され、本点灯制御装置を反時計回りに回転するとよい。また、受け台３４はその外側上端付近が点灯制御回路基板４の外周縁の切り欠き４４に軽度に係止可能になっており、受け台３４の最終的な固定は前記ビス３７ａにより成される。点灯制御回路基板４はビスなどで第二絶縁板６の下面に固定される。照明器具本体２５の中央孔４５に臨む下面には図示されないバネで中心方向に弾性付勢された係止部４６が装備され、照明器具本体２５を押し上げると係止部４６が一度後退してから蛍光灯用点灯装置の上面すなわち上ケース２の上面に係止される。照明器具本体２５の取り外しは係止部４６の外側に連なるつまみ４７を外向きに押して係止部４７を外向きに変位させて行う。また、照明器具本体２５の下面にはグローブ４８が着脱可能に取り付けられる。なお、引掛ローゼット２２の代わりに高さの低い丸型引掛ローゼットが設置されている場合は、係止部４６は溝２０に係止される。
【図面の簡単な説明】
【００１３】
【図１】(A) 本発明の実施形態を示す組立時の上面斜視図、(B) 同下面斜視図
【図２】同組立時の断面図
【図３】同分解時の下面斜視図
【図４】同分解時の上面斜視図
【図５】図３とは反対側から見た分解時の下面斜視図
【図６】同一部の分解時の下面斜視図
【図７】同一部の分解時の上面斜視図
【図８】同一部の上面斜視図
【図９】同組立直前の上面斜視図
【図１０】同使用状態を示す照明器具の断面図
【符号の説明】
【００１４】
１  引掛刃
２  上ケース
３  下ケース
４  点灯制御回路基板
５  第一絶縁板
６  第二絶縁板
７  金属板
８  ボス
９  凹部
１０  突出部
１１  第二凹部
１２  第二突出部
１３  孔
１４  コード
１５  窓孔
１６  凸部
１７  発熱部品
１８  導熱クッション部材
１９  ビス
２０  溝
２１  天井面
２２  引掛ローゼット
２３  ランプ
２４  ソケット
２５  照明器具本体
２６  リード線
２７  円弧孔
２８  回り止め部材
２９  解除部材
３０  部品
３１、３２  ガイド部
３３  補強リブ
３４  受け台
３５  コネクター
３６  コネクター用開口
３７  テーパ面
３７ａ  ビス
３８  ガイドテーパ面
【図１】
2005209464.tif 000003
【図２】
2005209464.tif 000004
【図３】
2005209464.tif 000005
【図４】
2005209464.tif 000006
【図５】
2005209464.tif 000007
【図６】
2005209464.tif 000008
【図７】
2005209464.tif 000009
【図８】
2005209464.tif 000010
【図９】
2005209464.tif 000011
【図１０】
2005209464.tif 000012